(57)【要約】【課題】  本発明は、複数の紙に付された内容を適切に保護し得る関連性保証装置を提案する。【解決手段】  所定の内容が付された基準とする第１の紙に有する紋様の特徴量を表す第１の紋様情報を取得すると共に、所定の内容が付された第１の紙の関連対象とすべき第２の紙に有する紋様の特徴量を表す第２の紋様情報を取得する取得手段と、第１の紋様情報及び第２の紋様情報に基づく認証情報を関連対象とすべき第２の紙に記憶する記憶手段とを設けるようにした。【選択図】        図２
2006340217.tif 000002
【特許請求の範囲】
【請求項１】
所定の内容が付された基準とする第１の紙に有する紋様の特徴量を表す第１の紋様情報を取得すると共に、所定の内容が付された上記第１の紙の関連対象とすべき第２の紙に有する紋様の特徴量を表す第２の紋様情報を取得する取得手段と、
上記第１の紋様情報及び上記第２の紋様情報に基づく認証情報を上記関連対象とすべき第２の紙に記憶する記憶手段と
を具えることを特徴とする関連性保証装置。
【請求項２】
上記第１の紙及び上記第２の紙は、
それぞれ付された内容が連続するものであり、
上記第１の紙は、
上記関連対象とすべき第２の紙における直前の紙でなる
ことを特徴とする請求項１に記載の関連性保証装置。
【請求項３】
上記基準とする第１の紙に有する紋様及び上記関連対象とすべき第２の紙に有する紋様を撮像する撮像手段
を具え、
上記取得手段は、
上記撮像手段により得られる第２の紙に有する紋様に基づく第２の紋様画像のうち、低域周波数成分でなる第２の低域紋様画像に基づいて上記第２の紋様情報を取得すると共に、上記基準とする第１の紙に有する紋様に基づく第１の紋様画像のうち、上記第２の低域紋様画像に比して低域周波数成分でなる上記第１の低域紋様画像に基づいて上記第２の紋様情報を取得する
ことを特徴とする請求項１に記載の関連性保証装置。
【請求項４】
上記取得手段は、
上記第１の低域紋様画像における輝度値を、所定の係数範囲の係数に変換することにより上記第１の紋様情報を取得する
ことを特徴とする請求項３に記載の関連性保証装置。
【請求項５】
所定の内容が付された基準とする第１の紙に有する紋様の特徴量を表す第１の紋様情報を取得すると共に、所定の内容が付された上記第１の紙と関連対象とすべき第２の紙に有する紋様の特徴量を表す第２の紋様情報を取得する第１のステップと、
上記第１の紋様情報及び上記第２の紋様情報に基づく認証情報を上記関連対象とすべき第２の紙に記憶する第２のステップと
を具えることを特徴とする関連性保証方法。
【請求項６】
所定の内容が付された基準とする第１の紙に有する紋様の特徴量を表す第１の紋様情報を取得すると共に、所定の内容が付された上記第１の紙の関連対象とすべき第２の紙に有する紋様の特徴量を表す第２の紋様情報を取得する第１の処理と、
上記第１の紋様情報及び上記第２の紋様情報に基づく認証情報を上記関連対象とすべき第２の紙に記憶する第２の処理と
を実行させることを特徴とするプログラム。
【請求項７】
所定の内容が付された基準とする第１の紙に有する紋様の特徴量を表す第１の紋様情報を取得すると共に、所定の内容が付された上記第１の紙の関連対象とすべき第２の紙に有する紋様の特徴量を表す第２の紋様情報を取得する取得手段と、
上記第１の紋様情報及び上記第２の紋様情報に基づく認証情報を上記関連対象とすべき第２の紙に記憶する記憶手段と、
上記記憶手段により記憶された上記認証情報に基づいて上記基準とする第１の紙と上記関連対象とすべき第２の紙との関連性を検証する検証手段と
を具えることを特徴とする関連性検証装置。
【発明の詳細な説明】
【技術分野】
【０００１】
本発明は、関連性保証装置及び方法、プログラム並びに関連性検証装置に関し、例えば所定の内容が付された複数の紙の関連性を保証する場合に適用して好適なものである。
【背景技術】
【０００２】
従来、紙は文書や写真等の各種内容の印画対象として用いられ、当該内容（以下、これを印画内容と呼ぶ）が印画された印画紙は、例えば貨幣等の商品交換媒体、証明書等の内容証明媒体又は個人の著作物等の情報記憶媒体などの各種媒体として機能するため高い価値を有していることが多い。
【０００３】
このため、印画紙に印画された印画内容の不正複製を防止する各種対処策が考えられており、当該対処策として、印画紙に有する紋様に基づいて紋様情報を取得して、取得された紋様情報を印画紙に記憶し、当該記憶された紋様情報に基づいて、印画紙の正当性を検証することによって、印画内容を適切に保護し、印画紙に印画された印画内容の不正複製を防止する不正複製防止装置が本願特許出願人により提案されている。
【特許文献１】ＰＣＴ／ＪＰ２００５／００１１７６
【発明の開示】
【発明が解決しようとする課題】
【０００４】
ところで、かかる不正複製防止装置においては、印画紙それぞれにおける正当性及び有効性、すなわち原本性を保証することによって印画内容の不正複製を防止するようになされているが、このような印画紙については、複数枚によって構成されていることが非常に多いことから、印画紙それぞれにおいて独立して原本性を保証するだけでなく、複数の印画紙における関連性を保証することができれば、複数の印画紙における印画内容を一段と適切に保護することができるものと考えられる。
【０００５】
本発明は以上の点を考慮してなされたもので、複数の紙に付された内容を適切に保護し得る関連性保証装置及び方法、プログラム並びに関連性検証装置を提案しようとするものである。
【課題を解決するための手段】
【０００６】
かかる課題を解決するため本発明においては、所定の内容が付された基準とする第１の紙に有する紋様の特徴量を表す第１の紋様情報を取得すると共に、所定の内容が付された第１の紙の関連対象とすべき第２の紙に有する紋様の特徴量を表す第２の紋様情報を取得する取得手段と、第１の紋様情報及び第２の紋様情報に基づく認証情報を関連対象とすべき第２の紙に記憶する記憶手段とを設けるようにした。
【０００７】
従って、基準とする第１の紙における第１の紋様情報を関連対象とすべき第２の紙に盛り込まれているため、関連対象とすべき第２の紙における原本性に加えて、関連対象とすべき第２の紙と基準とする第１の紙との関連性を保証することができる。
【０００８】
また、所定の内容が付された基準とする第１の紙に有する紋様の特徴量を表す第１の紋様情報を取得すると共に、所定の内容が付された第１の紙と関連対象とすべき第２の紙に有する紋様の特徴量を表す第２の紋様情報を取得する第１のステップと、第１の紋様情報及び第２の紋様情報に基づく認証情報を関連対象とすべき第２の紙に記憶する第２のステップとを設けるようにした。
【０００９】
従って、基準とする第１の紙における第１の紋様情報を関連対象とすべき第２の紙に盛り込まれているため、関連対象とすべき第２の紙における原本性に加えて、関連対象とすべき第２の紙と基準とする第１の紙との関連性を保証することができる。
【００１０】
さらに、プログラムによって、所定の内容が付された基準とする第１の紙に有する紋様の特徴量を表す第１の紋様情報を取得すると共に、所定の内容が付された第１の紙の関連対象とすべき第２の紙に有する紋様の特徴量を表す第２の紋様情報を取得する第１の処理と、第１の紋様情報及び第２の紋様情報に基づく認証情報を関連対象とすべき第２の紙に記憶する第２の処理とを実行させるようにした。
【００１１】
従って、基準とする第１の紙における第１の紋様情報を関連対象とすべき第２の紙に盛り込まれているため、関連対象とすべき第２の紙における原本性に加えて、関連対象とすべき第２の紙と基準とする第１の紙との関連性を保証することができる。
【００１２】
さらに、所定の内容が付された基準とする第１の紙に有する紋様の特徴量を表す第１の紋様情報を取得すると共に、所定の内容が付された第１の紙の関連対象とすべき第２の紙に有する紋様の特徴量を表す第２の紋様情報を取得する取得手段と、第１の紋様情報及び第２の紋様情報に基づく認証情報を関連対象とすべき第２の紙に記憶する記憶手段と、記憶手段により記憶された認証情報に基づいて基準とする第１の紙と関連対象とすべき第２の紙との関連性を検証する検証手段とを設けるようにした。
【００１３】
従って、基準とする第１の紙における第１の紋様情報を関連対象とすべき第２の紙に盛り込まれているため、関連対象とすべき第２の紙における原本性に加えて、関連対象とすべき第２の紙と基準とする第１の紙との関連性を保証することができる。
【発明の効果】
【００１４】
本発明によれば、所定の内容が付された基準とする第１の紙に有する紋様の特徴量を表す第１の紋様情報を取得すると共に、所定の内容が付された第１の紙の関連対象とすべき第２の紙に有する紋様の特徴量を表す第２の紋様情報を取得し、第１の紋様情報及び第２の紋様情報に基づく認証情報を関連対象とすべき第２の紙に記憶することによって、基準とする第１の紙における第１の紋様情報を関連対象とすべき第２の紙に盛り込まれているため、関連対象とすべき第２の紙における原本性に加えて、関連対象とすべき第２の紙と基準とする第１の紙との関連性を保証することができ、かくして複数の紙に付された内容を適切に保護し得る関連性保証装置及び方法、プログラムを実現できる。
【００１５】
また、本発明によれば、所定の内容が付された基準とする第１の紙に有する紋様の特徴量を表す第１の紋様情報を取得すると共に、所定の内容が付された第１の紙の関連対象とすべき第２の紙に有する紋様の特徴量を表す第２の紋様情報を取得する取得手段と、第１の紋様情報及び第２の紋様情報に基づく認証情報を関連対象とすべき第２の紙に記憶する記憶手段と、記憶手段により記憶された認証情報に基づいて基準とする第１の紙と関連対象とすべき第２の紙との関連性を検証する検証手段とを設けるようにしたことにより、基準とする第１の紙における第１の紋様情報を関連対象とすべき第２の紙に盛り込まれているため、関連対象とすべき第２の紙における原本性に加えて、関連対象とすべき第２の紙と基準とする第１の紙との関連性を保証することができ、かくして複数の紙に付された内容を適切に保護し得る関連性保証装置を実現できる。
【発明を実施するための最良の形態】
【００１６】
以下図面について、本発明の一実施の形態を詳述する。
【００１７】
（１）関連性保証手法
紙は、図１に示すように、繊維の複雑な絡み合いにより構成された固有の模様（以下、これを紋様と呼ぶ）を当該紙の表面ではなくその内部に有している。この紋様は、光にかざすと目視確認できることからも分かるように、例えば透過型スキャナ等により画像（以下、これを紋様画像と呼ぶ）として得ることができるものである。
【００１８】
そこで本実施の形態における関連性保証手法では、この紋様画像を用いて複数の印画紙に印画された印画内容の関連性を保証する。
【００１９】
この場合、本実施の形態における関連性保証手法では、図２（Ａ）に示すように、例えば複数のオリジナルの印画紙（以下、これをオリジナル印画紙と呼ぶ）ＯＰのうち、基準とするオリジナル印画紙（以下、これを基準オリジナル印画紙と呼ぶ）ＯＰＳから、予め指定された領域（以下、これを指定領域と呼ぶ）ＡＲに有する紋様画像（以下、これを基準紋様画像と呼ぶ）ＭＧＳを取得する。
【００２０】
また、本実施の形態における関連性保証手法では、複数のオリジナル印画紙ＯＰのうち、基準オリジナル印画紙ＯＰＳの関連対象とすべきオリジナル印画紙（以下、これを関連対象オリジナル印画紙と呼ぶ）ＯＰＲから、指定領域ＡＲに有する紋様画像（以下、これを関連対象紋様画像と呼ぶ）ＭＧＲを取得する。
【００２１】
さらに、本実施の形態における関連性保証手法では、かかる基準オリジナル印画紙ＯＰＳの基準紋様画像ＭＧＳと、関連対象オリジナル印画紙ＯＰＲの関連対象紋様画像ＭＧＲとを合成するようにして、当該基準紋様画像ＭＧＳ及び関連対象紋様画像ＭＧＲに基づく合成紋様画像ＭＧを生成する。
【００２２】
さらに、本実施の形態における関連性保証手法では、生成された合成紋様画像ＭＧに基づいて合成紋様パターンＭＰを基準オリジナル印画紙ＯＰＳと関連対象オリジナル印画紙ＯＰＲとの関連性保証用として抽出する。
【００２３】
そして、本実施の形態における関連性保証手法では、関連性保証用として抽出した合成紋様パターンＭＰを２次元バーコード（以下、これを紋様コードと呼ぶ）ＢＣとして関連対象オリジナル印画紙ＯＰＲにおける印画紙面の一部に印画することによって、合成紋様パターンＭＰを関連対象オリジナル印画紙ＯＰＲに記憶する。
【００２４】
一方、本実施の形態における関連性保証手法では、図２（Ｂ）に示すように、この紋様コードＢＣが印画された印画紙（以下、これをコード付印画紙と呼ぶ）ＸＰｃが基準オリジナル印画紙ＯＰＳに関連付けられているか否かを検証する場合、このコード付印画紙ＸＰｃから、指定領域ＡＲに有する紋様画像（以下、これをコード付紋様画像と呼ぶ）ＭＧＸを取得する。
【００２５】
また、本実施の形態における関連性保証手法では、基準オリジナル印画紙ＯＰＳから、指定領域ＡＲに有する基準紋様画像ＭＧＳを取得する。
【００２６】
さらに、本実施の形態における関連性保証手法では、かかる基準オリジナル印画紙ＯＰＳの基準紋様画像ＭＧＳと、コード付印画紙ＸＰｃのコード付紋様画像ＭＧＸとを合成するようにして、当該基準紋様画像ＭＧＳ及びコード付紋様画像ＭＧＸに基づく照合用の合成紋様画像（以下、これを照合紋様画像と呼ぶ）ＭＧＣを生成する。
【００２７】
そして、本実施の形態における関連性保証手法では、生成された照合紋様画像ＭＧＣと、紋様コードＢＣに基づいて再構成した紋様画像（以下、これを再構成紋様画像と呼ぶ）ＭＧＲｅとを照合するようにしてコード付印画紙ＸＰｃが基準オリジナル印画紙ＯＰＳに関連付けられているか否かを検証する。
【００２８】
ここで、本実施の形態における関連性保証手法では、この照合結果として所定の閾値以上の合致率が得られた場合には、コード付印画紙ＸＰｃが基準オリジナル印画紙ＯＰＳに関連付けられていると判断し、当該コード付印画紙ＸＰｃと基準とするオリジナル印画紙ＯＰＳとの関連性を保証するようになされている。
【００２９】
これに対して、本実施の形態における関連性保証手法では、照合結果として所定の値よりも低い合致率が得られた場合には、コード付印画紙ＸＰｃが基準オリジナル印画紙ＯＰＳに関連付けられていないと判断し、当該コード付印画紙ＸＰｃと基準とするオリジナル印画紙ＯＰＳとの関連性を否定するようになされている。
【００３０】
なお、本実施の形態における関連性保証手法では、図３に示すように関連対象オリジナル印画紙ＯＰＲにおける印画内容がコード付印画紙ＸＰｃに複製（Copy）された場合であっても、当該コード付印画紙ＸＰｃには関連対象オリジナル印画紙ＯＰＲの指定領域ＡＲに存在する関連対象紋様画像ＭＧＲは存在し得ないので、照合紋様画像ＭＧＣと再構成紋様画像ＭＧＲｅとの照合結果が一致することはなく、コード付印画紙ＸＰｃが複製であって原本ではないことをも保証し得るようになされている。
【００３１】
このようにして本実施の形態における関連性保証手法では、紋様コードＢＣに基づいて再構成した再構成紋様画像ＭＧＲｅ及び照合紋様画像ＭＧＣを用いて、基準オリジナル印画紙ＯＰＳとの関連性を検証するようにしたことによって、関連対象オリジナル印画紙ＯＰＲにおける原本性に加えて、関連対象オリジナル印画紙ＯＰＲと基準オリジナル印画紙ＯＰＳとの関連性を保証し得るようになされており、かくして複数のオリジナル印画紙ＯＰに印画された印画内容を適切に保護し得るようになされている。
【００３２】
（２）関連性保証装置の構成
図４において、１は本実施の形態による関連性保証装置を示し、この関連性保証装置１全体の制御を司る制御部２に対してバス３を介してスキャナ部４及びプリンタ部５が接続されることにより構成されている。
【００３３】
この制御部２は、ＣＰＵ(Central Processing Unit)でなる中央処理ユニット、ＲＡＭ(Random Access Memory)でなるワークメモリ及びＲＯＭ(Read Only Memory)でなる情報記憶メモリを有している。
【００３４】
この情報記憶メモリには、紙の各種規格サイズそれぞれに対する指定領域ＡＲ（図２）の位置情報（以下、これを領域位置情報と呼ぶ）、２次元バーコード用の文字列情報（以下、これをコード文字列情報と呼ぶ）等の各種情報及びプログラムが記憶されている。従って制御部２は、ワークメモリにロードしたプログラムに従って、情報記憶メモリに記憶された各種情報を適宜用いて各種処理を実行するようになされている。
【００３５】
実際上、制御部２は、紋様コードＢＣ（図２）を印画させる所定の指令が操作部（図示せず）から与えられると、紋様画像読取コマンドをスキャナ部４に送出する。
【００３６】
そして制御部２は、このコマンドの応答結果として、スキャナ部４から基準オリジナル印画紙ＯＰＳ（図２）における基準紋様画像ＭＧＳ（図２）のデータ（以下、これを基準紋様画像データと呼ぶ）Ｄ１が与えられると共に、関連対象オリジナル印画紙ＯＰＲ（図２（Ａ））における関連対象紋様画像ＭＧＲ（図２（Ａ））のデータ（以下、これを関連対象紋様画像データと呼ぶ）Ｄ２が与えられた場合、第１のモード（以下、このモードをコード印画モードと呼ぶ）に遷移する。
【００３７】
この場合、制御部２は、基準紋様画像データＤ１における基準紋様画像ＭＧＳと、関連対象紋様画像データＤ２における関連対象紋様画像ＭＧＲとを合成するようにして、当該基準紋様画像ＭＧＳ及び関連対象紋様画像ＭＧＲに基づく合成紋様画像ＭＧ（図２（Ａ））を生成する。
【００３８】
また、制御部２は、生成された合成紋様画像ＭＧに基づいて合成紋様パターンＭＰ（図２（Ａ））を抽出し、当該合成紋様パターンＭＰを２次元バーコード用の文字列データ（以下、これを紋様コードデータと呼ぶ）Ｄ３としてプリンタ部５に送出する。そしてこの紋様コードデータＤ３は、プリンタ部５において、紋様コードＢＣ（図２（Ａ））として関連対象オリジナル印画紙ＯＰＲに印画される。
【００３９】
一方、制御部２は、関連性を検証するための指令が操作部から与えられると、紋様画像読取コマンド及びコード読取コマンドをスキャナ部４に送出する。
【００４０】
そして制御部２は、これらコマンドの応答結果として、スキャナ部４からコード付印画紙ＸＰｃ（図２（Ｂ））におけるコード付紋様画像ＭＧＸ（図２（Ｂ））のデータ（以下、これをコード付紋様画像データと呼ぶ）Ｄ４と、基準オリジナル印画紙ＯＰＳにおける基準紋様画像データＤ１と、コード付印画紙ＸＰｃに印画された紋様コードＢＣの読取結果である紋様コードデータＤ３とが与えられた場合、第２のモード（以下、このモードを検証モードと呼ぶ）に遷移する。
【００４１】
この場合、制御部２は、基準紋様画像データＤ１における基準紋様画像ＭＧＳと、コード付紋様画像データＤ４におけるコード付紋様画像ＭＧＸとを合成するようにして、当該基準紋様画像ＭＧＳ及びコード付紋様画像ＭＧＸに基づく照合紋様画像ＭＧＣ（図２（Ｂ））を生成する。
【００４２】
また制御部２は、生成された照合紋様画像ＭＧＣと、スキャナ部４から供給される紋様コードデータＤ３に基づいて再構成された再構成紋様画像ＭＧＲｅ（図２（Ｂ））とを照合する。
【００４３】
そして制御部２は、照合の結果、照合紋様画像ＭＧＣ及び再構成紋様画像ＭＧＲｅが所定の閾値を越えて一致するか否かを判定し、両者が一致すると認識できるときに限り、コード付印画紙ＸＰｃと基準オリジナル印画紙ＯＰＳとの関連性を立証するようになされている。
【００４４】
このようにして制御部２は、基準オリジナル印画紙ＯＰＳにおける基準紋様画像ＭＧＳ及び関連対象オリジナル印画紙ＯＰＲにおける関連対象紋様画像ＭＧＲに基づいて生成された合成紋様パターンＭＰを紋様コードＢＣとして関連対象オリジナル印画紙ＯＰＲに印画させ、当該印画させた紋様コードＢＣから再構成された再構成紋様画像ＭＧＲｅと一致する場合についてのみ、基準オリジナル印画紙ＯＰＳとコード付印画紙ＸＰｃとの関連性を保証することができるようになされている。
【００４５】
一方、スキャナ部４は、透過モード、反射モード及びコード読取モードを有し、制御部２から紋様画像読取コマンドが与えられた場合には透過モード、また所定の複製許可コマンドが与えられた場合には反射モード、さらにコード読取コマンドが与えられた場合にはコード読取モードをそれぞれ実行するようになされている。
【００４６】
実際上、スキャナ部４は、透過モード時には、原稿台に載置された基準オリジナル印画紙ＯＰＳ、関連対象オリジナル印画紙ＯＰＲ又はコード付印画紙ＸＰｃに対して光を照射し、これらを透過することにより得られる紋様投影光を光学系を介して固体撮像素子に結像する。そしてスキャナ部４は、この固体撮像素子から得られる紋様画像信号に対してＡ／Ｄ(Analog/Digital)変換処理等を施し、この結果得られた基準紋様画像データＤ１、関連対象紋様画像データＤ２又はコード付紋様画像データＤ４を制御部２に送出する。
【００４７】
またスキャナ部４は、反射モード時には、例えば原稿台に載置された関連対象オリジナル印画紙ＯＰＲに対して光を照射し、これを反射することにより得られる印画内容反射光を光学系を介して固体撮像素子に結像する。そしてスキャナ部４は、この固体撮像素子から得られる印画内容画像信号に対してＡ／Ｄ変換処理等を施し、この結果得られた印画内容画像データＤ５をプリンタ部５に送出する。
【００４８】
さらにスキャナ部４は、コード読取モード時には、当該スキャナ部４に接続された２次元コードリーダ４ａを起動し、当該２次元コードリーダ４ａにより読み取られることにより供給される紋様コードデータＤ３を制御部２に送出する。
【００４９】
このようにしてスキャナ部４は、制御部２から与えられる各種コマンドに応じたモードを実行することにより、紋様画像、紋様コード、又は印画内容を読み取ることができるようになされている。
【００５０】
他方、プリンタ部５は、２次元コード用のフォント情報（以下、これをコードフォント情報と呼ぶ）及び紙の各種規格サイズそれぞれに対する紋様コードＢＣの位置情報（以下、これをコード位置情報と呼ぶ）等の各種情報を内部メモリに記憶しており、これら情報を適宜用いて印画処理を実行する。
【００５１】
この場合、プリンタ部５は、制御部２から紋様コードデータＤ３が与えられると、この紋様コードデータＤ３に対してパルス幅変調処理等を施し、この結果得られた印画データを印画ヘッド部に送出する。この結果、この印画データ、コードフォント情報及びコード位置情報に基づく印画ヘッド部の駆動により、このとき印画紙台にセットされた印画紙（関連対象オリジナル印画紙ＯＰＲ）の所定位置に紋様コードＢＣが印画されることとなる。
【００５２】
またプリンタ部５は、スキャナ部４から印画内容画像データＤ５が与えられると、この印画内容画像データＤ５に対してパルス幅変調処理等を施し、この結果得られた印画データを印画ヘッド部に送出する。この結果、この印画データに基づく印画ヘッド部の駆動により、このとき印画紙台にセットされた用紙に関連対象オリジナル印画紙ＯＰＲの印画内容が複製されることとなる。
【００５３】
このようにしてプリンタ部５は、制御部２から供給される紋様コードデータＤ３に基づく紋様コードＢＣ（図２）を印画するとともに、印画内容画像データＤ５に基づく印画内容を複製することができるようになされている。
【００５４】
（３）制御部での処理
ここで、かかる制御部２におけるコード印画モード及び検証モード時の処理内容を機能的に分類すると、図５に示すように、低域周波数成分抽出部１０と、紋様画像合成部１１と、紋様パターン抽出部１２と、２次元コード変換部１３と、紋様画像再構成部１４と、照合部１５とに分けることができる。
【００５５】
この場合、制御部２は、コード印画モード時には、スキャナ部４から与えられる基準紋様画像データＤ１及び関連対象紋様画像データＤ２に対して低域周波数成分抽出部１０、紋様画像合成部１１、紋様パターン抽出部１２及び２次元コード変換部１３を順次介して各種処理を施し、この結果得られる紋様コードデータＤ３をプリンタ部５に送出する。
【００５６】
また制御部２は、検証モード時には、スキャナ部４から与えられるコード付紋様画像データＤ４及び基準紋様画像データＤ１に対して低域周波数成分抽出部１０及び紋様画像合成部１１を順次介して各種処理を施し、この結果得られる照合紋様画像ＭＧＣと、スキャナ部４から与えられる紋様コードデータＤ３に対して紋様画像再構成部１４を介して画像再構成処理を施し、この結果得られる再構成紋様画像ＭＧＲｅとの照合処理を照合部１５において行うようになされている。
【００５７】
以下、低域周波数成分抽出部１０による低域周波数成分抽出処理、紋様画像合成部１１による紋様画像合成処理、紋様パターン抽出部１２による紋様パターン抽出処理、２次元コード変換部１３による２次元コード変換処理、紋様画像再構成部１４による紋様画像再構成処理及び照合部１５による照合処理を詳細に説明する。
【００５８】
（３−１）低域周波数成分抽出処理
低域周波数成分抽出部１０は、図６に示すように、関連対象オリジナル印画紙ＯＰＲ（図２（Ａ））における関連対象紋様画像ＭＧＲ（図６（Ａ））から、低域周波数成分の紋様画像（以下、これを関連対象低域紋様画像と呼ぶ）ＭＧＲ２（図６（Ｂ））を抽出するようになされている。
【００５９】
具体的に低域周波数成分抽出部１０は、内部メモリに記憶された領域位置情報に基づいて、スキャナ部４から与えられる関連対象オリジナル紋様画像データＤ２における関連対象紋様画像ＭＧＲに対してフーリエ変換処理を施すことにより周波数成分のデータを生成する。
【００６０】
続いて低域周波数成分抽出部１０は、この周波数成分のデータに対して所定閾値以上の高周波成分のデータ値を「０」とした後に逆フーリエ変換処理を施すことにより、関連対象低域紋様画像ＭＧＲ２のデータ（以下、これを関連対象低域紋様画像データと呼ぶ）Ｄ１０（図５）を生成する。
【００６１】
そして低域周波数成分抽出部１０は、このとき生成された関連対象低域紋様画像データＤ１０を紋様画像合成部１１に送出するようになされている。
【００６２】
一方、低域周波数成分抽出部１０は、図７に示すように、基準オリジナル印画紙ＯＰＳ（図２（Ａ））における基準紋様画像ＭＧＳ（図７（Ａ））から、低域周波数成分の紋様画像（以下、これを基準低域紋様画像と呼ぶ）ＭＧＳ２（図７（Ｂ））を抽出すると共に、当該基準低域紋様画像ＭＧＳ２を変換基準低域紋様画像ＭＧＳ３に変換するようになされている。
【００６３】
具体的に低域周波数成分抽出部１０は、内部メモリに記憶された領域位置情報に基づいて、スキャナ部４から与えられる基準オリジナル紋様画像データＤ１における基準紋様画像ＭＧＳに対してフーリエ変換処理を施すことにより周波数成分のデータを生成する。
【００６４】
続いて低域周波数成分抽出部１０は、この周波数成分のデータに対して所定閾値以上の高周波成分のデータ値を「０」とした後に逆フーリエ変換処理を施すことにより、基準低域紋様画像ＭＧＲ２を生成する。
【００６５】
このとき、基準低域紋様画像ＭＧＳ２については、関連対象低域紋様画像ＭＧＲ２に比してさらに低域周波数成分の紋様画像とするようになされており、輝度値の大きさによって大きなうねりがあり、小さな変化ではないことから、この基準低域紋様画像ＭＧＳ２を関連対象低域紋様画像ＭＧＲ２と合成するための係数として使用することとなる。
【００６６】
そこで、低域周波数成分抽出部１０は、基準低域紋様画像ＭＧＳ２の輝度値を予め設定された係数範囲となるように変換するようになされており、基準低域紋様画像ＭＧＳ２を予め設定された係数範囲となるように、変換された紋様画像を変換基準低域紋様画像ＭＧＳ３とすると、次式、
【００６７】
【数１】
2006340217.tif 000003
【００６８】
となるように、基準低域紋様画像ＭＧＳ２を各要素ごとに、変換基準低域紋様画像ＭＧＳ３に変換するようになされている。なお、図８（Ａ）については、変換前の輝度値である基準低域紋様画像ＭＧＳ２の分布を示し、図８（Ｂ）については、変換後の係数化された変換基準低域紋様画像ＭＧＳ３の分布を示している。
【００６９】
そして低域周波数成分抽出部１０は、このとき変換された変換基準低域紋様画像ＭＧＳ３のデータ（以下、これを変換基準低域紋様画像データと呼ぶ）Ｄ１１（図５）を紋様画像合成部１１に送出するようになされている。
【００７０】
他方、低域周波数成分抽出部１０は、コード付印画紙ＸＰｃ（図２（Ｂ））におけるコード付紋様画像ＭＧＸ（図２（Ｂ））から、低域周波数成分の紋様画像（以下、これをコード付低域紋様画像と呼ぶ）ＭＧＸ２を抽出するようになされている。
【００７１】
具体的に低域周波数成分抽出部１０は、内部メモリに記憶された領域位置情報に基づいて、スキャナ部４から与えられるコード付紋様画像データＤ４におけるコード付紋様画像ＭＧＸに対して上述の基準紋様画像ＭＧＳにおける場合と同様のフーリエ変換処理及び逆フーリエ変換処理を施すことにより、コード付低域紋様画像ＭＧＸ２のデータ（以下、これをコード付低域紋様画像データと呼ぶ）Ｄ１２（図５）を生成する。
【００７２】
そして低域周波数成分抽出部１０は、このとき生成されたコード付低域紋様画像データＤ１２を紋様画像合成部１１に送出するようになされている。
【００７３】
このとき、低域周波数成分抽出部１０は、関連対象低域紋様画像ＭＧＲ２、基準低域紋様画像ＭＧＳ２又はコード付低域紋様画像ＭＧＸ２を抽出することにより、例えばスキャナ部４での固体撮像素子のノイズ等、一般に画像の高周波成分に含まれる各種ノイズ成分を除去することができるようになされている。
【００７４】
この結果、低域周波数成分抽出部１０は、各種ノイズ成分に起因する紋様パターン抽出部１２での紋様パターンの抽出精度の低下を回避させることができるようになり、ひいては照合部１５での照合処理結果における信頼性を向上させることができるようになされている。
【００７５】
また、低域周波数成分抽出部１０は、基準低域紋様画像ＭＧＳ２を関連対象低域紋様画像ＭＧＲ２に比してさらに低域周波数成分の紋様画像とするようになされているため、当該基準低域紋様画像ＭＧＳ２を、径年変化や撮像時の環境に影響させにくいようになされている。
【００７６】
（３−２）紋様画像合成処理
紋様画像合成部１１は、図９に示すように、関連対象低域紋様画像ＭＧＲ２（図９（Ａ））と、変換基準低域紋様画像ＭＧＳ３（図９（Ｂ））とを合成するようにして、合成紋様画像ＭＧ（図９（Ｃ））を生成する。
【００７７】
具体的に紋様画像合成部１１は、低域周波数成分抽出部１０から供給される関連対象低域紋様画像データＤ１０における関連対象低域紋様画像ＭＧＲ２の各要素ごとに、低域周波数成分抽出部１０から供給される変換基準低域紋様画像ＭＧＳ３のデータＤ１１における対応する変換基準低域紋様画像ＭＧＳ３の各要素を乗算することによって合成し、この結果合成紋様画像ＭＧのデータ（以下、これを合成紋様画像データと呼ぶ）Ｄ１３（図５）を生成する。
【００７８】
そして紋様画像合成部１１は、このとき生成された合成紋様画像データＤ１３を紋様パターン抽出部１２に送出するようになされている。
【００７９】
一方、紋様画像合成部１１は、コード付低域紋様画像ＭＧＸ２と、変換基準低域紋様画像ＭＧＳ３とを合成するようにして、照合紋様画像ＭＧＣを生成する。
【００８０】
具体的に紋様画像合成部１１は、低域周波数成分抽出部１０から供給されるコード付低域紋様画像データＤ１２におけるコード付低域紋様画像ＭＧＸ２の各要素ごとに、低域周波数成分抽出部１０から供給される変換基準低域紋様画像ＭＧＳ３のデータＤ１１における対応する変換基準低域紋様画像ＭＧＳ３の各要素を乗算することによって合成し、この結果照合紋様画像ＭＧＣのデータ（以下、これを照合紋様画像データと呼ぶ）Ｄ１４（図５）を生成する。
【００８１】
そして紋様画像合成部１１は、このとき生成された照合紋様画像データＤ１４を画像再構成部１４に送出するようになされている。
【００８２】
このようにして紋様画像合成部１１は、関連対象低域紋様画像ＭＧＲ２と、変換基準低域紋様画像ＭＧＳ３とを合成するようにして、合成紋様画像ＭＧを生成することによって、ひいては基準オリジナル印画紙ＯＰＳにおける基準紋様画像ＭＧＳに基づく変換基準低域紋様画像ＭＧＳ３を関連対象オリジナル印画紙ＯＰＲに盛り込むことができるようになされている。
【００８３】
ここで、図１０は、紋様画像合成処理による紋様画像の変化を、後述するボロノイ分割による紋様パターンによって示したものであり、図１０（Ａ）については、関連対象低域紋様画像ＭＧＲ２のボロノイ分割による紋様パターンを示し、図１０（Ｂ）については、合成紋様画像ＭＧのボロノイ分割による紋様パターンを示している。
【００８４】
図１０からも明らかなように、関連対象低域紋様画像ＭＧＲ２と、当該関連対象低域紋様画像ＭＧＲ２及び変換基準低域紋様画像ＭＧＳ３を合成するようにして生成された合成紋様画像ＭＧとでは、ボロノイ領域の中心の位置の変化や、ボロノイ領域の形状変化から明らかに異なった形状となっていることが確認できた。
【００８５】
このように、関連対象低域紋様画像ＭＧＲ２と、合成紋様画像ＭＧとを明らかに異なった形状とを明らかに異なった形状とするためには、変換基準低域紋様画像ＭＧＳ３の係数範囲を広くとることや、基準低域紋様画像ＭＧＳ２の周波数成分を、関連対象低域紋様画像ＭＧＲ２と大きく変化させることが考えられる。
【００８６】
しかしながら、予め設定された係数範囲を、次式、
【００８７】
【数２】
2006340217.tif 000004
【００８８】
のように設定した場合には、上述のように紋様画像合成処理による紋様画像の変化を、後述するボロノイ分割による紋様パターンによって示した図１１からも明らかなように、係数範囲を広くとりすぎたために、図１１（Ｂ）における合成紋様画像ＭＧと、図１１（Ａ）における基準低域紋様画像ＭＧＳ２とがほぼ同じ紋様画像となることが確認できた。
【００８９】
このようにして紋様画像合成部１１は、変換基準低域紋様画像ＭＧＳ３の係数範囲を適切に設定することによって、関連対象低域紋様画像ＭＧＲ２及び変換基準低域紋様画像ＭＧＳ３を合成するようにして生成する合成紋様画像ＭＧ（基準オリジナル印画紙ＯＰＳの情報）を、一段と適切に関連対象オリジナル印画紙ＯＰＲに盛り込むことができるようになされている。
【００９０】
（３−３）紋様パターン抽出処理
紋様パターン抽出部１２は、図１２に示すように、合成紋様画像ＭＧ（図９（Ｃ））に基づいて合成紋様パターンＭＰ（図１２）を抽出する。
【００９１】
具体的に紋様パターン抽出部１２は、図１２に示すように、合成紋様画像ＭＧの輝度値で作られる曲面上において最低輝度値でなる画素（以下、これを極小点と呼ぶ）ＰＳ（ＰＳ１〜ＰＳｎ）と、当該曲面上において最高輝度値でなる画素（以下、これを極大点と呼ぶ）ＰＬ（ＰＬ１〜ＰＬｎ）とを検出すると共に、当該合成紋様画像ＭＧにおける輝度値の平均（以下、これを輝度平均と呼ぶ）を算出する。
【００９２】
この図１２からも明らかなように、極小点ＰＳ（図１２中の黒丸）は、所定の低輝度値以下でなる画素（以下、これを黒画素と呼ぶ）のうち、互いに隣接する黒画素の集合を単位とする領域の略中心に存在し、また極大点ＰＬ（図１２中の黒三角）は、所定の高輝度値以下でなる画素（以下、これを白画素と呼ぶ）のうち、互いに隣接する白画素の集合を単位とする領域の略中心に存在しており、これら極小点ＰＳ及び極大点ＰＬが合成紋様画像ＭＧに有する紋様の特徴的な点を表していることが分かる。
【００９３】
従って、これら極小点ＰＳ及び極大点ＰＬの検出結果は、合成紋様画像ＭＧ（図９（Ｃ））における合成紋様パターンＭＰ（即ち、合成紋様画像ＭＧに含まれている紋様の特徴パターン）を意味することとなる。
【００９４】
実際上、紋様パターン抽出部１２は、紋様画像合成部１１から供給される合成紋様画像データＤ１３に基づく合成紋様画像ＭＧの横方向をx軸、縦方向をy軸、輝度値をz軸としてそれぞれ認識し、当該認識結果に基づいて、合成紋様画像ＭＧにおける極小点ＰＳ及び極大点ＰＬを検出する。このとき紋様パターン抽出部１２は、かかる認識結果に基づいて輝度平均も算出するようになされている。
【００９５】
そして紋様パターン抽出部１２は、これら極小点ＰＳ及び極大点ＰＬにおける位置、輝度値と、輝度平均とをデータ（以下、これを合成紋様パターンデータと呼ぶ）Ｄ１５（図５）として２次元コード変換部１３に送出するようになされている。
【００９６】
このようにして紋様パターン抽出部１２は、簡易な計算により紋様の特徴を紋様パターンとして抽出することができるようになされている。
【００９７】
（３−４）２次元コード変換処理
２次元コード変換部１３は、合成紋様パターンＭＰを紋様コードＢＣ（図２（Ａ））として関連対象オリジナル印画紙ＯＰＲに記憶させる。
【００９８】
具体的に２次元コード変換部１３は、供給される合成紋様パターンデータＤ１４の小数点以下を切り捨て、当該切り捨てた合成紋様パターンデータＤ１４に対して、情報記憶メモリに予め記憶されたコード文字列情報に基づく２次元バーコード変換処理を施すことにより紋様コードデータＤ３を生成し、これを所定のタイミングでプリンタ部５に送出する。
【００９９】
この結果、この紋様コードデータＤ３は、プリンタ部５において、印画紙台にセットされた印画紙（関連対象オリジナル印画紙ＯＰＲ）の所定位置に紋様コードＢＣ（図２（Ａ））として印画され、当該関連対象オリジナル印画紙ＯＰ（図２（Ａ））に関連性保証用のパターンが記録されることとなる。
【０１００】
（３−５）紋様画像再構成処理
画像再構成部１４は、図１３（Ａ）に示す指定領域ＡＲにおける極小点ＰＳ（ＰＳ１〜ＰＳｎ）及び極大点ＰＬ（ＰＬ１〜ＰＬｎ）から、図１３（Ｂ）に示す再構成紋様画像ＭＧＲｅを生成する。
【０１０１】
この場合、紋様画像再構成部１４は、スキャナ部４から供給される紋様コードデータＤ３の極小点ＰＳ（ＰＳ１〜ＰＳｎ）及び極大点ＰＬ（ＰＬ１〜ＰＬｎ）と、情報記憶メモリに予め記憶された領域位置情報に基づいて、図１３（Ａ）に示したように、指定領域ＡＲ（図２）、極小点ＰＳ（ＰＳ１〜ＰＳｎ）及び極大点ＰＬ（ＰＬ１〜ＰＬｎ）それぞれの位置関係を認識する。
【０１０２】
この状態において紋様画像再構成部１４は、認識した極小点ＰＳ及び極大点ＰＬを基準点としてボロノイ分割処理を実行する。すなわち画像再構成部１４は、図１４に示すように、基準点（図１３（Ａ）における黒丸及び黒三角）を除く指定領域ＡＲ（図２）の全ての画素を、当該画素から最も近い距離に存在する基準点に属するものとしてそれぞれ分割することにより複数の小領域を生成する。
【０１０３】
そして紋様画像再構成部１４は、紋様コードデータＤ３の輝度情報（極小点ＰＳ及び極大点ＰＬの輝度値と輝度平均）に基づいて、ボロノイ分割処理により生成した指定領域ＡＲ（図２）の各小領域における輝度状態をそれぞれ決定することにより再構成紋様画像ＭＧＲｅ（図１３（Ｂ））を再構築した後、この再構成紋様画像ＭＧＲｅをデータ（以下、これを再構成紋様画像データと呼ぶ）Ｄ１６（図５）として照合部１５に送出するようになされている。
【０１０４】
このようにして紋様画像再構成部１４は、画像再構成処理を実行することにより、合成紋様画像ＭＧ（図６（Ｂ））と、当該合成紋様画像ＭＧに相当する再構成紋様画像ＭＧＲｅ（図１３（Ｂ））とを視覚的に比較することからも明らかなように、当該合成紋様画像ＭＧから抽出された合成紋様パターンＭＰ（極小点ＰＳ（図１０）及び極大点ＰＬ（図１０））から再構成紋様画像ＭＧＲｅを精度よく再現することができるようになされている。
【０１０５】
（３−６）照合処理
照合部１５は、照合紋様画像ＭＧＣと、紋様コードデータＤ３に基づいて再構成された再構成紋様画像ＭＧＲｅとを照合する。
【０１０６】
実際上、照合部１５は、紋様画像再構成部１４から供給される再構成紋様画像データＤ１４における再構成紋様画像ＭＧＲｅと、紋様画像合成部１１から供給される照合紋様画像データＤ１４における照合紋様画像ＭＧＣとに対して所定の相互相関処理を施し、当該再構成紋様画像ＭＧＲｅ及び照合紋様画像ＭＧＣの合致率を算出する。
【０１０７】
そして照合部１５は、所定の閾値以下の合致率が得られた場合には、このときスキャナ部４の載置台に載置されたコード付印画紙ＸＰｃ（図２）が基準オリジナル印画紙ＯＰＳに関連付けられていないと判断し、当該コード付印画紙ＸＰｃと基準とするオリジナル印画紙ＯＰＳとの関連性を否定する旨を所定の表示部（図示せず）等を介して通知する。
【０１０８】
これに対して照合部１５は、所定の閾値よりも高い合致率が得られた場合には、このときスキャナ部４の載置台に載置されたコード付印画紙ＸＰｃ（図２）が基準オリジナル印画紙ＯＰＳに関連付けられていると判断し、当該コード付印画紙ＸＰｃと基準とするオリジナル印画紙ＯＰＳとの関連性を保証する旨を所定の表示部（図示せず）等を介して通知する。
【０１０９】
このようにして照合部１５は照合処理を実行し、当該照合結果として所定の閾値よりも高い合致率が得られた場合にのみコード付印画紙ＸＰｃと基準オリジナル印画紙ＯＰＳとの関連性を保証するようになされている。
【０１１０】
（４）本実施の形態における関連性保証装置の使用例
次に、本実施の形態における関連性保証装置１の使用例について説明する。
【０１１１】
（４−１）連番性保証
この場合、関連性保証装置１では、例えばｎページでなる書類ＰＡに対して、上述における関連対象オリジナル印画紙ＯＰＲをｉ（１＜ｉ≦ｎ）ページ目の書類ＰＡ（ｉ）とし、基準オリジナル印画紙ＯＰＳを書類ＰＡ（ｉ）の直前の書類である（ｉ−１）ページ目の書類ＰＡ（ｉ−１）として、このｉページ目の書類ＰＡ（ｉ）と、（ｉ−１）ページ目の書類ＰＡ（ｉ−１）との関連性、すなわちこのｎページの書類ＰＡにおける連番性を保証するようになされている。
【０１１２】
実際上、制御部２では、図１５に示すように、例えば２ページ目の書類ＰＡ（２）から取得された指定領域ＡＲに有する紋様画像ＭＧ（２）と、３ページ目の書類ＰＡ（３）から取得された指定領域ＡＲに有する紋様画像ＭＧ（３）とに基づく合成紋様パターンＭＰ（２、３）を紋様コードＢＣ（２、３）として、３ページ目の書類ＰＡ（３）における印画紙面の一部に印画するようになされている。
【０１１３】
また、制御部２では、３ページ目の書類ＰＡ（３）から取得された指定領域ＡＲに有する紋様画像ＭＧ（３）と、４ページ目の書類ＰＡ（４）から取得された指定領域ＡＲに有する紋様画像ＭＧ（４）とに基づく合成紋様パターンＭＰ（３、４）を紋様コードＢＣ（３、４）として、４ページ目の書類ＰＡ（３）における印画紙面の一部に印画するようになされており、この後同様にしてｎページ目の書類ＰＡ（ｎ）まで紋様コードＢＣを印画するようになされている。
【０１１４】
このとき、制御部２では、１ページ目の書類ＰＡ（１）については、１ページ目の書類ＰＡ（１）から取得された指定領域ＡＲに有する紋様画像ＭＧ（１）と、２ページ目の書類ＰＡ（２）から取得された指定領域ＡＲに有する紋様画像ＭＧ（２）とに基づく合成紋様パターンＭＰ（１、２）を紋様コードＢＣ（１、２）として、当該１ページ目の書類ＰＡ（１）における印画紙面の一部に印画するようになされている。
【０１１５】
なお、１ページ目の書類ＰＡ（１）については、図１６に示すように、予め設定されている基準の書類ＰＡ（Ｓ）から取得された指定領域ＡＲに有する紋様画像ＭＧ（Ｓ）と、１ページ目の書類ＰＡ（１）から取得された指定領域ＡＲに有する紋様画像ＭＧ（１）とに基づく合成紋様パターンＭＰ（Ｓ、１）を紋様コードＢＣ（Ｓ、１）として、当該１ページ目の書類ＰＡ（１）における印画紙面の一部に印画するようにしても良い。
【０１１６】
このようにしてこの関連性保証装置１では、ｎページでなる書類ＰＡに対して、（ｉ−１）ページ目の書類ＰＡ（ｉ−１）から取得された指定領域ＡＲに有する紋様画像ＭＧ（ｉ−１）と、ｉページ目の書類ＰＡ（ｉ）から取得された指定領域ＡＲに有する紋様画像ＭＧ（ｉ）とに基づく合成紋様パターンＭＰ（ｉ−１、ｉ）を紋様コードＢＣ（ｉ−１、ｉ）として、ｉページ目の書類ＰＡ（ｉ）における印画紙面の一部に印画することによって、書類ＰＡそれぞれにおいて独立して原本性を保証することや、複数の書類ＰＡ（ｉ）における関連性を保証するだけでなく、複数の書類ＰＡ（ｎ）における連番性をも保証することができ、かくして複数の書類ＰＡ（ｎ）における内容を一段と適切に保護することができる。
【０１１７】
また、この関連性保証装置１では、複数の書類ＰＡ（ｉ）における関連性を保証するため、書類ＰＡ（ｉ）がすり替えられるといったようなことや、書類ＰＡ（ｉ）に過不足が生ずるといったようなことを未然かつ有効に防止しながら、複数の書類ＰＡ（ｎ）における内容を保護することができるようになされている。
【０１１８】
（４−２）美術品贋作防止
この場合、関連性保証装置１では、例えばｎ枚でなるオリジナルの美術品である原画ＧＰ（ｎ）に対して、上述における基準オリジナル印画紙ＯＰＳを基準原画ＧＰ（Ｓ）とし、関連対象オリジナル印画紙ＯＰＲを複数の関連対象原画ＧＰ（ｉ）として、この基準原画ＧＰ（Ｓ）と、関連対象原画ＧＰとの関連性を保証し、美術品における贋作を防止するようになされている。
【０１１９】
実際上、制御部２では、図１７に示すように、例えば基準原画ＧＰ（Ｓ）から取得された指定領域ＡＲに有する紋様画像ＭＧ（Ｓ）と、１枚目の関連対象原画ＧＰ（１）から取得された指定領域ＡＲに有する紋様画像ＭＧ（１）とに基づく合成紋様パターンＭＰ（Ｓ、１）を紋様コードＢＣ（Ｓ、１）として、１枚目の関連対象原画ＧＰ（１）における印画紙面の一部に印画するようになされている。
【０１２０】
また、制御部２では、例えば基準原画ＧＰ（Ｓ）から取得された指定領域ＡＲに有する紋様画像ＭＧ（Ｓ）と、２枚目の関連対象原画ＧＰ（２）から取得された指定領域ＡＲに有する紋様画像ＭＧ（２）とに基づく合成紋様パターンＭＰ（Ｓ、２）を紋様コードＢＣ（Ｓ、２）として、２枚目の関連対象原画ＣＯ（２）における印画紙面の一部に印画するようになされており、この後同様にしてｎ−１枚目の関連対象原画ＧＰ（ｎ−１）まで紋様コードＢＣを印画するようになされている。
【０１２１】
このとき、基準原画ＧＰ（Ｓ）については、当該基準原画ＧＰ（Ｓ）の作者自身又は公平に利益を保護する美術品データセンタに厳重に格納しておくことによって、作者自身又は公平に利益を保護する美術品データセンタが認めた状態においてしか原画ＧＰ（ｎ）を増刷することができないため、原画ＧＰ（ｎ）の枚数管理を一段と容易にすると共に、美術品における贋作を防止することができるようになされている。
【０１２２】
また、公平に利益を保護する美術品データセンタに原画ＧＰ（ｎ）の画像データ、紋様画像ＭＧ（ｎ）、紋様コードＢＣ（Ｓ、ｎ−１）をそれぞれ対応させて厳重に管理させておくことによって、公平に利益を保護する美術品データセンタとの通信により原画ＧＰ（ｎ）が不正に増刷されたものか否かを検証することができるようになされている。
【０１２３】
このようにしてこの関連性保証装置１では、ｎ枚でなる原画ＣＯ（ｎ）に対して、基準原画ＧＰ（Ｓ）から取得された指定領域ＡＲに有する紋様画像ＭＧ（Ｓ）と、複数枚の関連対象原画ＧＰ（ｉ）から取得された指定領域ＡＲに有する紋様画像ＭＧ（ｉ）とに基づく合成紋様パターンＭＰ（Ｓ、ｉ）を紋様コードＢＣ（Ｓ、ｉ）として、複数枚の原画ＧＰ（ｎ）における印画紙面の一部にそれぞれ印画することによって、基準原画ＧＰ（Ｓ）と、複数枚の関連対象原画ＧＰ（ｎ−１）との関連性をそれぞれ個別に保証して、美術品における贋作を防止することができ、かくして複数枚の原画ＧＰ（ｎ）における内容を一段と適切に保護することができる。
【０１２４】
なお、このような原画ＧＰ（ｎ）については、美術品であるため表面の余白等も芸術的見地から重要であることから、図１７に示すように、裏面に紋様コードＢＣも印画するのが一段と好ましい。
【０１２５】
また、このような美術品が油絵である場合には、複数波長、複数の光量、反射、透過等で多数撮像し、これらを演算することで、油絵特有の紙層の下地データを取り出すようなアルゴリズムを用いて、紋様画像を取得するようにしても良い。
【０１２６】
（５）本実施の形態による動作及び効果
以上の構成において、この関連性保証装置１では、基準紋様画像ＭＧＳと、関連対象紋様画像ＭＧＲとを合成するようにして、当該基準紋様画像ＭＧＳ及び関連対象紋様画像ＭＧＲに基づく合成紋様画像ＭＧを生成し、生成された合成紋様画像ＭＧに基づいて抽出された合成紋様パターンＭＰを紋様コードＢＣとして関連対象オリジナル印画紙ＯＰＲに記憶する。
【０１２７】
従って、基準オリジナル印画紙ＯＰＳにおける基準紋様画像ＭＧＳを関連対象オリジナル印画紙ＯＰＲに盛り込まれているため、関連対象オリジナル印画紙ＯＰＲにおける原本性に加えて、関連対象オリジナル印画紙ＯＰＲと基準オリジナル印画紙ＯＰＳとの関連性を保証することができる。
【０１２８】
また、この関連性保証装置１では、紋様コードＢＣに基づいて再構成した再構成紋様画像ＭＧＲｅ及び照合紋様画像ＭＧＣを用いて、基準オリジナル印画紙ＯＰＳとの関連性を検証することによって、基準オリジナル印画紙ＯＰＳにおける基準紋様画像ＭＧＳを関連対象オリジナル印画紙ＯＰＲに盛り込まれているため、関連対象オリジナル印画紙ＯＰＲにおける原本性に加えて、関連対象オリジナル印画紙ＯＰＲと基準オリジナル印画紙ＯＰＳとの関連性を保証することができる。
【０１２９】
以上の構成によれば、基準紋様画像ＭＧＳと、関連対象紋様画像ＭＧＲとを合成するようにして、当該基準紋様画像ＭＧＳ及び関連対象紋様画像ＭＧＲに基づく合成紋様画像ＭＧを生成し、生成された合成紋様画像ＭＧに基づいて抽出された合成紋様パターンＭＰを紋様コードＢＣとして関連対象オリジナル印画紙ＯＰＲに記憶することにより、基準オリジナル印画紙ＯＰＳにおける基準紋様画像ＭＧＳを関連対象オリジナル印画紙ＯＰＲに盛り込まれているため、関連対象オリジナル印画紙ＯＰＲにおける原本性に加えて、関連対象オリジナル印画紙ＯＰＲと基準オリジナル印画紙ＯＰＳとの関連性を保証することができ、かくして複数のオリジナル印画紙ＯＰに印画された印画内容を適切に保護することができる。
【０１３０】
（６）他の実施の形態
なお上述の実施の形態においては、所定の内容が付された複数の紙として、文書や写真等の各種内容の印画対象として用いられ、当該内容（以下、これを印画内容と呼ぶ）が印画された印画紙を適用した場合について述べたが、本発明はこれに限らず、例えば絵画等の美術品であっても良く、またサイン等の個人における署名であっても良く、この他種々の所定の内容が付された複数の紙であれば良い。
【０１３１】
また上述の実施の形態においては、当該基準紋様画像ＭＧＳ及び関連対象紋様画像ＭＧＲに基づく合成紋様画像ＭＧを生成した場合について述べたが、本発明はこれに限らず、例えば基準紋様画像ＭＧＳ及び関連対象紋様画像ＭＧを合成せずに紋様コードＢＣとして関連対象オリジナル印画紙ＯＰＲに記憶するようにしても良く、要は、第１の紋様情報及び第２の紋様情報に基づいて認証情報を生成するようにすれば良い。
【０１３２】
さらに上述の実施の形態においては、ボロノイ分割を用いることによって合成紋様パターンＭＰを抽出した場合について述べたが、本発明はこれに限らず、ＰＣＴ／ＪＰ２００５／００１１７６に記載されたような種々の抽出処理に基づいて紋様パターンを抽出するようにしても良く、この他種々の抽出処理を適用することができる。
【０１３３】
さらに上述の実施の形態においては、紙に有する紋様を撮像する撮像手段として、透過モード、反射モード及びコード読取モードを実行するスキャナ部４を適用するようにした場合について述べたが、本発明はこれに限らず、要は、印画紙に光を照射してその投影光を固体撮像素子を介して紋様画像の信号を生成するこの他種々の撮像手段を適用することができる。
【０１３４】
さらに上述の実施の形態においては、紋様に対して低域周波数成分処理及び紋様画像合成処理を施して合成紋様画像ＭＧ（図９（Ｃ））を生成し、当該合成紋様画像ＭＧに対して紋様パターン抽出処理を施して合成紋様パターンＭＰ（図１１（Ｂ））を抽出するようにした場合について述べたが、本発明はこれに限らず、当該低域周波数成分処理を省略するようにしても良い。
【０１３５】
またこの場合、合成紋様パターンＭＰとして、極小点ＰＳ（図１０）、極大点ＰＬ（図１０）及び輝度平均を抽出するようにしたが、本発明はこれに限らず、必ずしも輝度平均を抽出するようにしなくても良く、また極小点ＰＳのみを抽出する、或いは極大点ＰＬのみを抽出するようにしても良い。
【０１３６】
さらにこの場合、最低輝度値でなる画素を極小点ＰＳとして抽出すると共に、最高輝度値でなる画素を極大点ＰＬとして抽出するようにしたが、本発明はこれに限らず、この他種々の輝度値でなる所定の画素を極小点ＰＳ、極大点ＰＬとして抽出するようにしても良い。
【０１３７】
さらにこの場合、合成紋様パターンＭＰの抽出場所として、指定領域ＡＲ（図２）から抽出するようにしたが、本発明はこれに限らず、複数の指定領域から抽出するようにしても良く、又は紋様画像全体から抽出するようにしても良い。
【０１３８】
さらに上述の実施の形態においては、認証情報を紙に記憶する記憶手段として、合成紋様パターンＭＰを紋様コード（２次元バーコード）ＢＣ（図２（Ａ））として印画紙（関連対象オリジナル印画紙ＯＰＲ）に印画するようにした場合について述べたが、本発明はこれに限らず、例えば紋様パターンに応じた穴や点字を印画紙に設けるようにしても良く、又は紋様パターン（極小点ＰＳ（図１０）、極大点ＰＬ（図１０）及び輝度平均）を直接印画紙に記述するようにしても良い。
【０１３９】
さらに上述の実施の形態においては、記憶手段により記憶された認証情報に基づいて紋様画像を再構成する手法として、合成紋様パターンＭＰの極小点ＰＳ（図１０）及び極大点ＰＬ（図１０）を基準点としてボロノイ分割により指定領域ＡＲを分割することにより紋様画像を再構築するようにした場合について述べたが、本発明はこれに限らず、この他種々の分割手法により紋様画像を再構成するようにしても良い。
【０１４０】
例えば、ボロノイ分割に代えて、極小点ＰＳ（図７）及び極大点ＰＬ（図７）の位置状態と、分割結果とを対応付けたテーブルにより指定領域ＡＲを分割することにより紋様画像を再構築することができる。
【０１４１】
さらに上述の実施の形態においては、関連性保証装置として図４に示した構成を適用するようにした場合について述べたが、本発明はこれに限らず、この他種々の構成を適用することができる。
【０１４２】
この場合、図５で示した各種処理又はその一部の処理を制御部に対して実行させるプログラムを、例えばコピー機又はファックス等の紙を取り扱う既存の装置あるいは新規に製造された装置にインストールするようにしても良い。
【産業上の利用可能性】
【０１４３】
本発明は、紙を例えば貨幣等の商品交換媒体、証明書等の内容証明媒体又は個人の著作物等の情報記憶媒体などの各種媒体として使用する場合に利用可能である。
【図面の簡単な説明】
【０１４４】
【図１】紙の紋様を示す略線図である。
【図２】関連性保証手法の説明に供する略線図である。
【図３】オリジナル印画紙からの複製の説明に供する略線図である。
【図４】本実施の形態による関連性保証装置の構成を示すブロック図である。
【図５】制御部の処理の説明に供するブロック図である。
【図６】関連対象オリジナル印画紙における低域周波数成分抽出処理の説明に供する略線図である。
【図７】基準オリジナル印画紙における低域周波数成分抽出処理の説明に供する略線図である。
【図８】関連対象オリジナル印画紙における輝度値から係数への変換の説明に供する略線図である。
【図９】紋様画像合成処理の説明に供する略線図である。
【図１０】紋様画像合成処理による紋様画像の変化の説明に供する略線図である。
【図１１】紋様画像合成処理による紋様画像の変化の説明に供する略線図である。
【図１２】紋様パターン抽出処理の説明に供する略線図である。
【図１３】紋様画像再構成処理の説明に供する略線図である。
【図１４】ボロノイ分割の説明に供する略線図である。
【図１５】連番性保証の説明に供する略線図である。
【図１６】連番性保証の説明に供する略線図である。
【図１７】美術品贋作防止の説明に供する略線図である。
【符号の説明】
【０１４５】
１……関連性保証装置、２……制御部、４……スキャナ部、４ａ……コードリーダ、５……プリンタ部、１０……低域周波数成分抽出部、１０……紋様画像合成部、１２……紋様パターン抽出部、１３……２次元コード変換部、１４……紋様画像再構成部、１５……照合部、Ｄ１……基準紋様画像データ、Ｄ２……関連対象紋様画像データ、Ｄ３……紋様コードデータ、Ｄ４……コード付紋様画像データ、Ｄ５……印画内容画像データ、Ｄ１０……基準紋様画像データ、Ｄ１１……関連対象紋様画像データ、Ｄ１２……コード付紋様画像データ、Ｄ１３……紋様パターンデータ、Ｄ１４……照合用紋様画像データ、Ｄ１５……紋様コードデータ、Ｄ１６……再構成紋様画像データ、ＯＰ……オリジナル印画紙、ＯＰＳ……基準オリジナル印画紙、ＯＰＲ……関連対象オリジナル印画紙、ＸＰｃ……コード付印画紙、ＡＲ……指定領域、ＢＣ……紋様コード、ＭＧＳ……基準紋様画像、ＭＧＳ２……基準低域紋様画像、ＭＧＳ３……変換基準低域紋様画像、ＭＧＲ……関連対象紋様画像、ＭＧＲ２……関連対象低域紋様画像、ＭＧＸ……コード付紋様画像、ＭＧ……合成紋様画像、ＭＰ……合成紋様パターン、ＭＧＣ……照合紋様画像、ＭＧＲｅ……再構成紋様画像、ＰＳ（ＰＳ１〜ＰＳｎ）……極小点、ＰＬ（ＰＬ１〜ＰＬｎ）……極大点、書類……ＰＡ、原画……ＧＰ。
【図２】
2006340217.tif 000005
【図３】
2006340217.tif 000006
【図４】
2006340217.tif 000007
【図５】
2006340217.tif 000008
【図１４】
2006340217.tif 000009
【図１５】
2006340217.tif 000010
【図１６】
2006340217.tif 000011
【図１】
2006340217.tif 000012
【図６】
2006340217.tif 000013
【図７】
2006340217.tif 000014
【図８】
2006340217.tif 000015
【図９】
2006340217.tif 000016
【図１０】
2006340217.tif 000017
【図１１】
2006340217.tif 000018
【図１２】
2006340217.tif 000019
【図１３】
2006340217.tif 000020
【図１７】
2006340217.tif 000021